(57)【特許請求の範囲】
【請求項１】
外周面にリールを装着可能であり前記リールからの釣糸が通過可能な釣糸通路を内部に有する中通し竿であって、
前記釣糸通路に釣糸を導入可能な釣糸導入孔を穂先側外周面に有する第１竿体と、
前記第１竿体の穂先側に振出形式で連結され竿元側内周面に硬質リングを有する第２竿体と、
前記第２竿体の竿元側端部に脱着自在に連結された尻栓と、
前記第２竿体の穂先側に振出形式で連結される小径竿体とを備え、
前記尻栓は、前記第１竿体の釣糸導入孔付近で前記第１竿体に係止可能な本体部と、前記本体部に形成され前記本体部が前記第１竿体の釣糸導入孔付近で係止された状態において前記釣糸導入孔と前記第２竿体内に収納された小径竿体の釣糸通路を連絡する連絡部とを有する中通し竿。
【請求項２】
前記連絡部は前記第１竿体の釣糸導入孔の竿元側縁部付近から前記小径竿体の釣糸通路にかけて連続して形成された傾斜を有している、請求項１に記載の中通し竿。
【請求項３】
前記本体部は穂先側に前記第２竿体の竿元側端部に螺合可能なねじ山部を有している、請求項１または２に記載の中通し竿。
【請求項４】
前記本体部は穂先側に前記第２竿体の竿元側端部に脱着自在な磁石を有している、請求項１または２に記載の中通し竿。
【請求項５】
前記第２竿体は貫通孔を有した竿尻部を竿元側端部に有し、
前記硬質リングは前記竿尻部の貫通孔内周面に配置され、
前記尻栓は前記竿尻部に脱着自在に連結されている、請求項１〜４のいずれかに記載の中通し竿。
【請求項６】
前記竿尻部は前記第２竿体に脱着自在に固定されている、請求項５に記載の中通し竿。
【発明の詳細な説明】
【０００１】
【発明の属する技術分野】
本発明は釣竿、特に、リールからの釣糸を内部に挿通可能な釣糸通路を有する中通し竿に関する。
【０００２】
【従来の技術】
中通し竿は、内部に釣糸を挿通可能な釣糸通路を有する竿体と、竿体に脱着自在に固定されたリールと、前記リールの穂先側の竿体外周面に形成された釣糸導入孔と、竿体の穂先側端部に形成されたトップガイドとを有している。このような中通し竿では、リールからの釣糸を釣糸導入孔より釣糸通路に導入し、穂先側のトップガイドより外部に釣糸を導出する。
【０００３】
一般的に、このような中通し竿において釣糸を釣糸通路に挿通させるためには、例えば、金属ワイヤ製の糸通し具が用いられる。このような複数の竿体からなる中通し竿において、糸通し具を用いて釣糸を釣糸通路に挿通する場合（以下、「釣糸挿通操作」という）、以下のようにして作業をおこなう。
【０００４】
図９に示すように、元竿１の穂先竿に元上竿２のみを引き出し、元上竿２内に中竿３及び穂先竿４を収納する。一方で、糸通し具２００の本体部２０１の後端に設けられた釣糸係止部２０３に釣糸Ｌを係止する。そして、元竿１に設けられた釣糸導入孔６から元上竿２内に収納された穂先竿４内の釣糸通路１００に、糸通し２００をキャップ部２０１から挿入する。その後、穂先竿４の穂先側から釣糸Ｌとともに糸通し具２００を引き出して、釣糸通路１００に釣糸Ｌを挿通する。
【０００５】
【発明が解決しようとする課題】
このような従来の中通し竿では、釣糸挿通操作時に糸通し具２００及び釣糸Ｌを直接穂先竿４の内部に挿入する必要がある。このため、図９に示すように、元上竿２の竿元側端部に摩耗防止のために配置されている硬質リングＧの径Ｒは、穂先竿４の竿元側端部の内径とほぼ一致するように極めて小径に形成されている。
【０００６】
しかし、この硬質リングＧの内径が小さいと、実際に釣りを行う際に釣糸Ｌと硬質リングＧとの間に生じる抵抗が大きくなり、釣糸の出し入れがスムーズに行えない恐れがある。
【０００７】
また、釣糸挿通操作時において、糸通し具を挿入する元上竿２が元竿１の釣糸導入孔付近で十分に固定されて安定していないと、釣糸挿通操作を素早くかつ容易に行うことが難しい。
【０００８】
本発明の課題は、釣糸挿通操作を容易に行うことができ、釣糸の滑動抵抗の少ない中通し竿を提供することにある。
【０００９】
【課題を解決するための手段】
発明１の中通し竿は、外周面にリールを装着可能でありリールからの釣糸が通過可能な釣糸通路を内部に有する中通し竿であって、釣糸通路に釣糸を導入可能な釣糸導入孔を穂先側外周面に有する第１竿体と、第１竿体の穂先側に振出形式で連結され竿元側内周面に硬質リングを有する第２竿体と、第２竿体の竿元側端部に脱着自在に連結された尻栓と、第２竿体の穂先側に振出形式で連結される小径竿体とを備えている。そして、尻栓は、第１竿体の釣糸導入孔付近で第１竿体に係止可能な本体部と、本体部に形成され本体部が第１竿体の釣糸導入孔付近で係止された状態において釣糸導入孔と第２竿体内に収納された小径竿体の釣糸通路を連絡する連絡部とを有している。
【００１０】
この中通し竿は、収納時には小径竿体及び第２竿体を第１竿体内に収納してコンパクトな状態になり、使用時には小径竿体及び第２竿体を第１竿体の穂先側に引き延ばして１本の竿体として用いられる。
【００１１】
釣糸挿通操作時は、以下に述べるように、小径竿体を第２竿体内に収納し第２竿体の竿元側端部を第１竿体の釣糸導入孔付近に位置させた状態で行われる。即ち、第２竿体の竿元側を第１竿体の釣糸導入孔付近まで挿入して、尻栓を釣糸導入孔付近において第１竿体に係止させて第２竿体を第１竿体に固定する。この状態において、尻栓の連絡部が第１竿体の釣糸導入孔と第２竿体内に収納された小径竿体の釣糸通路とを連結する。ここで、釣糸を係止した糸通し具を釣糸導入孔より挿入する。糸通し具を連絡部を経て小径竿体の釣糸通路内へ挿入し、小径竿体の穂先側から糸通し具及び釣糸を引き出す。その後、尻栓を第２竿体より取り外して、第２竿体及び小径竿体を穂先側に引き出して１本の竿体として用いる。
【００１２】
この中通し竿では、脱着自在に第２竿体に固定された尻栓が釣糸挿通操作時において第２竿体が第１竿体の釣糸導入孔付近に位置するように固定するので、安定した状態で素早く釣糸挿通操作を行うことができる。そして、実際の釣時においては、尻栓を第２竿体から取り外して第２竿体をさらに穂先側に引き出して第１竿体に振出式に連結できる。また、尻栓の連絡部が釣糸挿通操作時において糸通し具，釣糸を小径竿体内に導くので、第２竿体の竿元側に大径の硬質リングを設置できる。この結果、実釣時の釣糸の滑動抵抗が低下することなく、スムーズな釣糸の出し入れが可能である。
【００１３】
発明２にかかる中通し竿は、発明１の中通し竿であって、連絡部は第１竿体の釣糸導入孔の竿元側縁部付近から小径竿体の釣糸通路にかけて連続して形成された傾斜を有している。
【００１４】
この場合には、傾斜が第１竿体の釣糸導入孔の竿元側端部付近と第２竿体内に収納された小径竿体の釣糸通路とを連結する。ここで、釣糸を係止した糸通し具を釣糸導入孔より挿入する。
【００１５】
発明３に係る中通し竿は、発明１または２の中通し竿であって、本体部は穂先側に第２竿体の竿元側端部に螺合可能なねじ山部を有している。
【００１６】
釣糸挿通操作時においては、本体部のねじ山を第２竿体の竿元側端部に螺合させて、尻栓を第２竿体に固定する。釣糸挿通操作終了後の実際に釣りを行う際においては、本体部のねじ山の螺合を解除して尻栓を第２竿体から取り外す。
【００１７】
発明４にかかる中通し竿は、発明１または２の中通し竿であって、本体部は穂先側に第２竿体の竿元側端部に脱着自在な磁石を有している。
【００１８】
この場合には、例えば、第２竿体の竿元側付近に磁性体または本体部の磁石に磁着する磁石を配置する。そして、釣糸挿通操作時においては、本体部の磁石を第２竿体の竿元側端部に磁着させて、尻栓を第２竿体に固定する。釣糸挿通操作終了後の実際に釣りを行う際においては、本体部を第２竿体から引き離す。
【００１９】
発明５にかかる中通し竿は、発明１〜４のいずれかの中通し竿であって、第２竿体は貫通孔を有した竿尻部を竿元側端部に有し、硬質リングは竿尻部の貫通孔内周面に配置され、尻栓は竿尻部に脱着自在に連結されている。
【００２０】
この場合には、硬質リングが竿尻部に配置されており竿尻部に尻栓が連結されているので、実際に釣りを行う際において釣糸との接触により第２竿体自体を損傷するのを防止できる。また製造組立が容易になる。
【００２１】
発明６にかかる中通し竿は、発明５の中通し竿であって、竿尻部は第２竿体に脱着自在に固定されている。
【００２２】
この場合には、竿尻部が第２竿体に脱着自在に固定されているので、損傷してしまった硬質リングを容易に交換可能である。
【００２３】
【発明の実施の形態】
［第１実施形態］
以下、本発明の第１実施形態について図面を参照しつつ説明する。
【００２４】
本発明の第１実施形態を採用した中通し竿は、図１に示すように、元竿１と、元竿１の穂先側に連結された元上竿２と、元上竿２の穂先側に順次連結された中竿３及び穂先竿４とを有している。これら元竿１〜穂先竿４は炭素繊維またはガラス繊維等に合成樹脂を含浸させたプリプレグから形成される先細り筒状部材であって、内部に釣糸通路１００を有する（図２等参照）。そして、元上竿２〜穂先竿４は穂先側から順次竿元側の竿体の内部に挿入され出し入れ自在になっており、いわゆる振出形式で連結されている。
【００２５】
元竿１は、外周面に形成されリール５を脱着自在に装着可能なリールシートＳと、穂先側外周面に形成されリール５からの釣糸Ｌを竿体内部に導入する釣糸導入孔６が形成されている。また、図２に示すように、この釣糸導入孔６には釣糸との接触から周縁部を保護するための保護リング１０が周縁部に填め込まれている。保護リング１０は、硬質のセラミック等で形成されたリング状の部材であり、元竿１の軸方向に長い楕円型に形成された釣糸導入孔６の周縁に沿って配置されている。この保護リング１０の軸方向の中央付近には元竿１の径内方向に突出した一対の突起部１０ａが形成されている。
【００２６】
元上竿２は、図２（ａ）に示すように、竿元側端部に雌ねじ部２ａを有し、この雌ねじ部２ａに尻栓２０が脱着自在に固定されている。また、雌ねじ部２ａの穂先側に隣接する内周面にはセラミック製の硬質リング２ｂがはめ込まれている。この硬質リング２ｂは元上竿２内に収納される穂先竿４の内径に依存することのない比較的大きな内径を有する部材である。
【００２７】
図３及び図４に示すように、尻栓２０は、円筒型の本体部２１と、本体部２１の穂先側に本体部２１よりやや小径に形成され外周にねじ山が形成された雄ネジ部２２とを有している。この本体部２１及び雄ネジ部２２はナイロン樹脂等のプラスチックで一体的に形成されており、雄ネジ部２２は元上竿２の雌ねじ部２ａに螺合可能である。また、本体部２１の幅方向中央付近の雄ネジ部２２側端面から軸方向中央付近の側面にかけて連続して傾斜２１ａが形成されており、傾斜２１ａから本体部２１を軸方向に貫通孔２１ｃが貫通している。そして、雄ネジ部２２との境界付近の本体部２１の傾斜２１ａの開口側側面には、保護リング１０の突出部１０ａが係合可能な係止溝２１ｂが形成されている。この係止溝２１ｂは傾斜２１ａの両側にそれぞれ形成されている。この係止溝２１ｂに突出部１０ａが係合した状態において、傾斜２１ａは元竿１の釣糸導入孔６の竿元側と穂先竿４の釣糸導入孔とをなだらかに連結している。また、貫通孔２１ｃは元竿１の釣糸通路１００と元上竿２の釣糸通路１００とを連通して空気の通過を可能としている。
【００２８】
穂先竿４は、図１に示すように、穂先側端部にトップガイド７が取り付けられており、リール５からの釣糸Ｌは釣糸導入孔６を通り釣糸通路１００に導かれて、穂先側のトップガイド７より外部へ導かれる。
【００２９】
このように構成された中通し竿では、収納時には穂先竿４〜元上竿２を元竿１内に収納する。一方、使用時には各竿体を穂先側に引き延ばして１本の竿体として用いる。そして釣糸挿通操作時には、糸通し具２００を用いて釣糸Ｌを各竿体の釣糸通路１００に挿通させる。
【００３０】
釣糸挿通操作時は、図２（ａ）に示すように、元上竿２の竿元側を元竿１の釣糸導入孔６付近に位置させて、元竿１に固定された保護リング１０の突出部１０ａを尻栓２０の係止溝２１ｂに係合させ元竿１に元上竿２を固定する。この状態において、尻栓２０の傾斜２１ａが、元竿１の釣糸導入孔６と元上竿２内の穂先竿４の釣糸通路１００とを連結する。続いて、釣糸Ｌを釣糸係止部に係止した糸通し具２００を釣糸導入孔６より挿入する。糸通し具２００のキャップ部２０２は傾斜２１ａに沿って穂先竿４の釣糸通路１００内へ挿入される。そして、トップガイド７より糸通し具２００を引き出して、釣糸Ｌを釣糸通路１００に挿通させる。
【００３１】
その後、図２（ｂ）に示すように、雄ネジ部２２の元上竿２に対する螺合を解除して尻栓２０を元上竿２より取り外し、穂先竿４〜元上竿２を順次穂先側に引き出して１本の竿体として用いる。
【００３２】
この中通し竿では、尻栓１０が釣糸挿通操作時において元竿１の釣糸導入孔６付近に位置するように元上竿２を固定するので、安定した状態で素早く釣糸挿通操作を行うことができる。そして、実際に釣を行う際においては、尻栓２０を元上竿２から取り外して振出式に連結できる。また、尻栓２０の傾斜２１ａが釣糸挿通操作時において糸通し具，釣糸を釣糸導入孔６から穂先竿４の釣糸通路１００に導くので、元上竿２の竿元側に穂先竿４の径に関係なく大径の硬質リング２ｂを設置できる。この結果、実釣時の釣糸Ｌの滑動抵抗が低下することなく、スムーズな釣糸Ｌの出し入れが可能である。
【００３３】
［第２実施形態］
以下、本発明の第２実施形態について図面を参照しつつ説明する。
【００３４】
本発明の第１実施形態を採用した中通し竿の元竿１は、図５に示すように、穂先側外周面に形成されリールからの釣糸Ｌを竿体内部に導入する釣糸導入孔６が形成されている。この釣糸導入孔６には釣糸Ｌとの接触から周縁部を保護するための保護リング１０が周縁部に填め込まれている。保護リング１０は、硬質のセラミックやアルミニウムなどの金属等で形成されたリング状の部材であり、元竿１の軸方向に長い楕円型に形成された釣糸導入孔６の周縁に沿って配置されている。この保護リング１０の軸方向の中央付近には元竿１の径内方向に突出した一対の突起部１０ａが形成されている。
【００３５】
元上竿２は、図５に示すように、竿元側端部に雌ねじ部２ａを有し、この雌ねじ部２ａに竿尻部３０が脱着自在に連結され、さらに竿尻部３０に尻栓２０が脱着自在に固定されている。
【００３６】
竿尻部３０は、図６及び図７に詳しく示すように、円筒型の本体部３１と本体部３１の穂先側内周面にはめ込まれたセラミック製の硬質リング３２とを有している。本体部３１は、例えば、ナイロン樹脂等の合成樹脂から構成されており、竿元側内周面及び穂先側外周面にそれぞれ雌ねじ部３１ａと雄ネジ部３１ｂとが形成されている。この雄ネジ部３１ｂは元上竿２の竿元側端部の雌ねじ部２ａに螺合可能であり、竿尻部３０は元上竿２の竿元側に脱着自在に固定されている。一方、硬質リング３２は、元上竿２の内部に収納される穂先竿４の内径に依存することなく比較的大きな内径を有するリング状の部材である。
【００３７】
尻栓２０は、図６及び図７に詳しく示すように、円筒型の本体部２１と、本体部２１の穂先側に本体部２１よりやや小径に形成され外周にねじ山が形成された雄ネジ部２２とを有している。この本体部２１及び雄ネジ部２２はナイロン樹脂等のプラスチックで一体的に形成されており、雄ネジ部２２は竿尻部３０の雌ねじ部３１ａに螺合可能である。また、本体部２１の幅方向中央付近の雄ネジ部２２側端面から軸方向中央付近の側面にかけて連続して傾斜２１ａが形成されている。そして、雄ネジ部２２との境界付近の本体部２１の傾斜２１ａの開口側側面には、保護リング１０の突出部１０ａが係合可能な係止溝２１ｂが形成されている。この係止溝２１ｂは傾斜２１ａの両側にそれぞれ形成されている。この係止溝２１ｂに突出部１０ａが係合した状態において、傾斜２１ａは元竿１の釣糸導入孔６の竿元側と穂先竿４の釣糸通路と竿尻部３０を介してなだらかに連結している。
【００３８】
なお、その他の構成は第１実施形態と同様であり説明を省略する。
【００３９】
このように構成された中通し竿では、収納時には穂先竿４〜元上竿２を元竿１内に収納する。一方、使用時には各竿体を穂先側に引き延ばして１本の竿体として用いる。そして釣糸挿通操作時には、糸通し具２００を用いて釣糸Ｌを各竿体の釣糸通路１００に挿通させる。
【００４０】
釣糸挿通操作時は、第１実施形態と同様に、元上竿２の竿元側を第１竿体の釣糸導入孔付近に位置させて、元竿１の固定された保護リング１０の突出部１０ａを尻栓２０の係止溝２１ｂに係合させ元竿１に元上竿２を固定する。この状態において、尻栓２０の傾斜２１ａが、元竿１の釣糸導入孔６と元上竿２内の穂先竿４の釣糸通路１００とを連結する。続いて、糸通し具によって釣糸導入孔より穂先竿４の釣糸通路に釣糸Ｌを挿入する。
【００４１】
その後、尻栓２０の竿尻部３０に対する螺合を解除して尻栓２０を元上竿２より取り外し、穂先竿４〜元上竿２を順次穂先側に引き出して１本の竿体として用いる。
【００４２】
この中通し竿では、尻栓２０が釣糸挿通操作時において元竿１の釣糸導入孔６付近に位置するように元上竿２を固定するので、安定した状態で素早く釣糸挿通操作を行うことができる。そして、実際の釣時においては、尻栓２０を元上竿２から取り外して振出式に連結できる。また、尻栓２０の傾斜２１ａが釣糸挿通操作時において糸通し具，釣糸を釣糸導入孔６から穂先竿４の釣糸通路１００に導くので、元上竿２の竿元側に穂先竿４の径に関係なく大径の硬質リング３２を設置できる。この結果、実釣時の釣糸Ｌの滑動抵抗が低下することなく、スムーズな釣糸Ｌの出し入れが可能である。なお、この硬質リング３２は元上竿２の脱着自在に連結された竿尻部３０にはめ込まれておいるので、必要に応じて硬質リング３２を交換可能であり、またゴミ等が元上竿２内に溜まった際の清掃も容易である。
【００４３】
［第３実施形態］
以下、本発明の第３実施形態について図面を参照しつつ説明する。
【００４４】
図８に示すように、本発明の第３実施形態を採用した中通し竿の元竿１は、穂先側外周面に形成されリールからの釣糸Ｌを竿体内部に導入する釣糸導入孔６が形成されている。この釣糸導入孔６には釣糸Ｌとの接触から周縁部を保護するための保護リング１０が周縁部に填め込まれている。保護リング１０は、硬質のセラミックやアルミニウム等で形成されたリング状の部材であり、元竿１の軸方向に長い楕円型に形成された釣糸導入孔６の周縁に沿って配置されている。この保護リング１０の軸方向の中央付近には元竿１の径内方向に突出した一対の突起部１０ａが形成されている。
【００４５】
元上竿２は、竿元側端部の内周面に硬質リング２ｂがはめ込まれている。また、竿元側端面には端面を覆うようにスチール等の合金からなる磁性体５０が固定されている。
【００４６】
尻栓２０は、円筒型の本体部２１と、本体部２１の穂先側に固定され径方向中央付近に貫通孔を有するリング状の磁石６０とを有している。本体部２１の幅方向中央付近の磁石６０側端面から軸方向中央付近の側面にかけて連続して傾斜２１ａが形成されている。そして、磁石６０との境界付近の本体部２１の傾斜２１ａの開口側側面には、保護リング１０の突出部１０ａが係合可能な係止溝２１ｂが形成されている。この係止溝２１ｂは傾斜２１ａの両側にそれぞれ形成されている。この係止溝２１ｂに突出部１０ａが係合した状態において、傾斜２１ａは元竿１の釣糸導入孔６の竿元側と穂先竿４の釣糸通路とをなだらかに連結している。
【００４７】
なお、その他の構成は第１実施形態と同様であり説明を省略する。
【００４８】
このように構成された中通し竿では、収納時には穂先竿４〜元上竿２を元竿１内に収納する。一方、使用時には各竿体を穂先側に引き延ばして１本の竿体として用いる。そして釣糸挿通操作時には、糸通し具２００を用いて釣糸Ｌを各竿体の釣糸通路１００に挿通させる。
【００４９】
釣糸挿通操作時は、第１実施形態と同様に、元上竿２の竿元側を第１竿体の釣糸導入孔付近に位置させて、元竿１の固定された保護リング１０の突出部１０ａを尻栓２０の係止溝２１ｂに係合させ元竿１に元上竿２を固定する。この状態において、尻栓２０の磁石６０は元上竿２の磁性体５０に磁着しており、尻栓２０の傾斜２１ａが、元竿１の釣糸導入孔６と元上竿２内の穂先竿４の釣糸通路１００とを連結する。続いて、糸通し具によって釣糸導入孔より穂先竿４の釣糸通路に釣糸Ｌを挿入する。
【００５０】
その後、尻栓２０の磁石６０の元上竿２に対する磁着を解除して尻栓２０を元上竿２より取り外し、穂先竿４〜元上竿２を順次穂先側に引き出して１本の竿体として用いる。
【００５１】
この中通し竿では、第１実施形態と同様の作用効果を奏する。
【００５２】
［他の実施形態］
（ａ）中通し竿の竿体の数は上記実施の形態に限定されるものではなく、任意の数の竿体を用いることができる。また、元竿に釣糸導入孔を設けるものに限定されず、元竿の穂先側に連結される第１中竿に釣糸導入孔を設けてもよい。
【００５３】
【発明の効果】
本発明に係る中通し竿によれば、所定の硬質リングを大径に形成することができるので、釣糸の滑動抵抗を軽減できる。また、釣糸挿通操作を容易に行うこともできる。
【図面の簡単な説明】
【図１】本発明の第１実施形態を採用した中通し竿の全体図。
【図２】釣糸挿通操作時における、図１の釣糸導入孔付近の拡大断面図。
【図３】図２の尻栓２０の拡大上面図。
【図４】図２の尻栓２０の拡大断面図。
【図５】本発明の第２実施形態を採用した中通し竿の釣糸導入孔付近の拡大断面図。
【図６】図５の尻栓２０の拡大上面図。
【図７】図５の尻栓２０の拡大断面図。
【図８】本発明の第３実施形態を採用した中通し竿の釣糸導入孔付近の拡大断面図。
【図９】従来の中通し竿の釣糸導入孔付近の拡大断面図。
【符号の説明】
１  元竿
２  元上竿
２ｂ  硬質リング
３  中竿
４  穂先竿
５  リール
６  釣糸導入孔
Ｓ  リールシート
１０  保護リング
１０ａ  突出部
２０  尻栓
２１  本体部
２１ａ  傾斜
２１ｂ  係止溝
２２  雄ネジ部
３０  竿尻部
３１  本体部
３２  硬質リング
【図１】
0004046430.tif 000002
【図２】
0004046430.tif 000003
【図３】
0004046430.tif 000004
【図４】
0004046430.tif 000005
【図５】
0004046430.tif 000006
【図６】
0004046430.tif 000007
【図７】
0004046430.tif 000008
【図８】
0004046430.tif 000009
【図９】
0004046430.tif 000010